(57)【要約】      （修正有）【課題】ＩＰアドレスや監視用のＶＬＡＮなどレイヤ３の初期設定を、下位レイヤの疎通確認メッセージを利用して行い、保守者の手間を低減する。【解決手段】ネットワークを介して互いに通信される上位側伝送装置および少なくとも１つの下位側伝送装置を有する伝送システムであって、上位側伝送装置は、ネットワークに新たに接続される下位側伝送装置の下位レイヤの固有識別子と、固有識別子に対応させて当該下位側伝送装置の上位レイヤを初期設定するための初期設定情報とを含む下位側伝送装置との間の疎通を確認するための疎通確認メッセージを下位レイヤで送信する第１制御手段を有し、下位側伝送装置は、上位側伝送装置から受信する疎通確認メッセージに、自装置の固有識別子が含まれている場合に、当該固有識別子に対応する初期設定情報を用いて自装置の上位レイヤの初期設定を行う第２制御手段を有する。【選択図】図４
2014150345.tif 000002
【特許請求の範囲】
【請求項１】
ネットワークを介して互いに通信される上位側伝送装置および少なくとも１つの下位側伝送装置を有する伝送システムであって、
前記上位側伝送装置は、
前記ネットワークに新たに接続される前記下位側伝送装置の下位レイヤの固有識別子と、前記固有識別子に対応させて当該下位側伝送装置の上位レイヤを初期設定するための初期設定情報とを含む前記下位側伝送装置との間の疎通を確認するための疎通確認メッセージを下位レイヤで送信する第１制御手段を有し、
前記下位側伝送装置は、
前記上位側伝送装置から受信する前記疎通確認メッセージに、自装置の前記固有識別子が含まれている場合に、当該固有識別子に対応する前記初期設定情報を用いて自装置の上位レイヤの初期設定を行う第２制御手段を有する
ことを特徴とする伝送システム。
【請求項２】
請求項１に記載の伝送システムにおいて、
前記第１制御手段は、新たに接続される複数の前記下位側伝送装置がある場合、複数の前記下位側伝送装置のそれぞれ対応する前記固有識別子および上位レイヤの前記初期設定情報を１つの前記疎通確認メッセージに格納する
ことを特徴とする伝送システム。
【請求項３】
請求項１または請求項２に記載の伝送システムにおいて、
前記第１制御手段は、複数の前記下位側伝送装置と通信するための複数の通信ポートを有し、
前記第２制御手段は、前記上位側伝送装置と通信するための通信ポートを有し、
前記第１制御手段および前記第２制御手段は、それぞれの前記通信ポートに設定された通信を終端する位置を示す終端点識別子を指定して、指定された前記終端点識別子間で前記疎通確認メッセージの送受信を行い、
前記ネットワークに新たに接続される前記下位側伝送装置は、前記第２制御手段の前記通信ポートに予め決められた特定の前記終端点識別子に設定され、
前記上位側伝送装置は、前記第１制御手段の複数の前記通信ポートから特定の前記終端点識別子に設定された前記下位側伝送装置に前記疎通確認メッセージを送信する
ことを特徴とする伝送システム。
【請求項４】
請求項３に記載の伝送システムにおいて、
前記上位側伝送装置および前記下位側伝送装置は、イーサネットＯＡＭ（イーサネットは登録商標）に対応する監視制御を行い、且つ、前記疎通確認メッセージは、前記イーサネットＯＡＭのＣＣＭに対応し、
前記第１制御手段は、前記下位側伝送装置の前記固有識別子および当該下位側伝送装置の前記初期設定情報を、前記ＣＣＭのＯｐｔｉｏｎＴＬＶに格納して、当該ＣＣＭを前記下位側伝送装置に送信し、
前記通信ポートの前記終端点識別子は、前記イーサネットＯＡＭのＭＥＰ＿ＩＤに対応し、且つ、前記固有識別子は、前記下位側伝送装置のＭＡＣアドレスである
ことを特徴とする伝送システム。
【請求項５】
ネットワークを介して接続される複数の下位側伝送装置と通信を行い、新たに前記ネットワークに接続される前記下位側伝送装置の下位レイヤの固有識別子と、前記固有識別子に対応させて当該下位側伝送装置の上位レイヤを初期設定するための初期設定情報とを含む前記下位側伝送装置との間の疎通を確認するための疎通確認メッセージを下位レイヤで送信する制御手段と
を有することを特徴とする上位側伝送装置。
【請求項６】
請求項５に記載の上位側伝送装置において、
前記制御手段は、新たに接続される複数の前記下位側伝送装置がある場合、１つの前記疎通確認メッセージに複数の前記下位側伝送装置にそれぞれ対応する下位レイヤの前記固有識別子および当該下位側伝送装置の前記初期設定情報を格納する
ことを特徴とする上位側伝送装置。
【請求項７】
請求項５または請求項６に記載の上位側伝送装置において、
前記制御手段は、複数の前記下位側伝送装置と通信するための複数の通信ポートを有し、前記下位側伝送装置の通信ポートとの間で、それぞれの前記通信ポートに設定された通信を終端する位置を示す終端点識別子を指定して、指定された前記終端点識別子間で通信を行い、予め決められた特定の前記終端点識別子に設定された前記下位側伝送装置に前記疎通確認メッセージを送信する
ことを特徴とする上位側伝送装置。
【請求項８】
請求項７に記載の上位側伝送装置において、
前記上位側伝送装置および前記下位側伝送装置は、イーサネットＯＡＭ（イーサネットは登録商標）に対応する監視制御を行い、且つ、前記疎通確認メッセージは、前記イーサネットＯＡＭのＣＣＭに対応し、
前記制御手段は、前記下位側伝送装置の前記固有識別子および当該下位側伝送装置の前記初期設定情報を、前記ＣＣＭのＯｐｔｉｏｎＴＬＶに格納して、当該ＣＣＭを前記下位側伝送装置に送信し、
前記通信ポートの前記終端点識別子は、前記イーサネットＯＡＭのＭＥＰ＿ＩＤに対応し、且つ、前記固有識別子は、前記下位側伝送装置のＭＡＣアドレスである
ことを特徴とする上位側伝送装置。
【請求項９】
ネットワークを介して接続される上位側伝送装置と通信を行い、前記上位側伝送装置から、下位レイヤの固有識別子と、前記固有識別子に対応させて上位レイヤを初期設定するための初期設定情報とが格納された前記上位側伝送装置との間の疎通を確認するための疎通確認メッセージを受信し、前記疎通確認メッセージの前記固有識別子が自装置の前記固有識別子である場合に、当該固有識別子に対応する前記初期設定情報を用いて自装置の上位レイヤの初期設定を行う制御手段
を有することを特徴とする下位側伝送装置。
【請求項１０】
請求項９に記載の下位側伝送装置において、
前記制御手段は、前記上位側伝送装置に接続するための通信ポートに設定された通信を終端する位置を示す終端点識別子を指定して通信を行い、前記通信ポートに特定の前記終端点識別子を設定して前記上位側伝送装置から前記疎通確認メッセージを受信する
ことを特徴とする下位側伝送装置。
【請求項１１】
請求項１０に記載の下位側伝送装置において、
前記上位側伝送装置および前記下位側伝送装置は、イーサネットＯＡＭ（イーサネットは登録商標）に対応する監視制御を行い、且つ、前記疎通確認メッセージは、前記イーサネットＯＡＭのＣＣＭに対応し、
前記上位側伝送装置は、前記下位側伝送装置の前記固有識別子および当該下位側伝送装置の前記初期設定情報を、前記ＣＣＭのＯｐｔｉｏｎＴＬＶに格納して、当該ＣＣＭを前記下位側伝送装置に送信し、
前記通信ポートの前記終端点識別子は、前記イーサネットＯＡＭのＭＥＰ＿ＩＤに対応し、且つ、前記固有識別子は、自装置のＭＡＣアドレスである
ことを特徴とする下位側伝送装置。
【発明の詳細な説明】
【技術分野】
【０００１】
本発明は、伝送システム、上位側伝送装置および下位側伝送装置に関する。
【背景技術】
【０００２】
一般に、伝送システムは、複数の伝送装置（下位側伝送装置と称する）と、これらの下位側伝送装置を監視および制御する伝送装置（上位側伝送装置と称する）とを有している。このような伝送システムでは、監視および制御を行うためのプロトコルとして、例えばＥｔｈｅｒｎｅｔ（登録商標）−ＯＡＭ（Ｏｐｅｒａｔｉｏｎ  Ａｄｍｉｎｉｓｔｒａｔｉｏｎ  Ｍａｎａｇｅｍｅｎｔ）が用いられている。Ｅｔｈｅｒｎｅｔ−ＯＡＭは、レイヤ２レベルで定義される規格であり、ＩＰ（Ｉｎｔｅｒｎｅｔ  Ｐｒｏｔｏｃｏｌ）アドレスを必要とせず、ＭＡＣ（Ｍｅｄｉａ  Ａｃｃｅｓｓ  Ｃｏｎｔｒｏｌ  ａｄｄｒｅｓｓ）アドレスにより対象を指定して監視を行うことができる。Ｅｔｈｅｒｎｅｔの疎通確認は、例えば、レイヤ３のＰｉｎｇコマンドを用いて、ＩＰアドレスを有する２拠点間の伝送装置間で行われる。ところが、伝送システムの障害の発生時に２拠点間を結ぶレイヤ２の網内で障害が発生した箇所を特定することが難しかった。そこで、Ｅｔｈｅｒｎｅｔ−ＯＡＭを使用することにより、レイヤ２の伝送装置間で疎通の確認が可能となり、レイヤ２の網内で障害が発生した箇所を特定できるようになった（例えば、特許文献１参照）。
【先行技術文献】
【特許文献】
【０００３】
【特許文献１】特開２０１１−０１５０９８号公報
【発明の概要】
【発明が解決しようとする課題】
【０００４】
ところが、遠隔で監視および制御を行う機能があるレイヤ２の伝送装置（スイッチ装置など）では、伝送装置を遠隔で監視および制御するためのＩＰアドレスや監視用のＶＬＡＮなどレイヤ３の初期設定が行われている。例えば、保守者は、初期設定を行うために複雑なコマンド操作などを行わなければならず、伝送装置の初期設定に手間が掛かるという問題があった。
【０００５】
本発明の目的は、伝送装置を遠隔で監視および制御を行うための上位レイヤの初期設定を下位レイヤの疎通確認メッセージを利用して行うことができる伝送システム、上位側伝送装置および下位側伝送装置を提供することである。
【課題を解決するための手段】
【０００６】
一つの観点による伝送システムは、ネットワークを介して互いに通信される上位側伝送装置および少なくとも１つの下位側伝送装置を有する伝送システムであって、上位側伝送装置は、ネットワークに新たに接続される下位側伝送装置の下位レイヤの固有識別子と、固有識別子に対応させて当該下位側伝送装置の上位レイヤを初期設定するための初期設定情報とを含む下位側伝送装置との間の疎通を確認するための疎通確認メッセージを下位レイヤで送信する第１制御手段を有し、下位側伝送装置は、上位側伝送装置から受信する疎通確認メッセージに、自装置の固有識別子が含まれている場合に、当該固有識別子に対応する初期設定情報を用いて自装置の上位レイヤの初期設定を行う第２制御手段を有することを特徴とする。
【０００７】
一つの観点による上位側伝送装置は、ネットワークを介して接続される複数の下位側伝送装置と通信を行い、新たにネットワークに接続される下位側伝送装置の下位レイヤの固有識別子と、固有識別子に対応させて当該下位側伝送装置の上位レイヤを初期設定するための初期設定情報とを含む下位側伝送装置との間の疎通を確認するための疎通確認メッセージを下位レイヤで送信する制御手段とを有することを特徴とする。
【０００８】
一つの観点による下位側伝送装置は、ネットワークを介して接続される上位側伝送装置と通信を行い、上位側伝送装置から、下位レイヤの固有識別子と、固有識別子に対応させて上位レイヤを初期設定するための初期設定情報とが格納された上位側伝送装置との間の疎通を確認するための疎通確認メッセージを受信し、疎通確認メッセージの固有識別子が自装置の固有識別子である場合に、当該固有識別子に対応する初期設定情報を用いて自装置の上位レイヤの初期設定を行う制御手段を有することを特徴とする。
【発明の効果】
【０００９】
本件開示の伝送システム、上位側伝送装置および下位側伝送装置は、伝送装置を遠隔で監視および制御を行うための上位レイヤの初期設定を下位レイヤの疎通確認メッセージを利用して行うことができる。
【図面の簡単な説明】
【００１０】
【図１】本実施形態に係る伝送システム１００の一例を示す図である。
【図２】ＣＣＭフォーマットの一例を示す図である。
【図３】Ｖａｌｕｅ情報の一例を示す図である。
【図４】Ｌ２ＳＷ１０１、Ｌ２ＳＷ１０２およびＬ２ＳＷ１０３の一例を示す図である。
【図５】設定情報テーブル２０３の一例を示す図である。
【図６】Ｌ２ＳＷ１０１の処理例を示すフローチャートである。
【図７】Ｌ２ＳＷ１０２の処理例を示すフローチャートである。
【発明を実施するための形態】
【００１１】
以下、本件開示の伝送システム、上位側伝送装置および下位側伝送装置の実施形態について詳しく説明する。
【００１２】
図１は、本実施形態に係る伝送システム１００の一例を示す図である。図１において、伝送システム１００は、スイッチ装置（Ｌ２ＳＷ）１０１と、スイッチ装置（Ｌ２ＳＷ）１０２と、スイッチ装置（Ｌ２ＳＷ）１０３とを有する。ここで、スイッチ装置は、ネットワーク上で伝送されるパケットの伝送経路などを制御するための伝送装置である。尚、Ｌ２ＳＷ１０１は上位側伝送装置に対応し、Ｌ２ＳＷ１０２およびＬ２ＳＷ１０３は下位側伝送装置に対応する。上位側伝送装置は、Ｅｔｈｅｒｎｅｔ−ＯＡＭ（以降、Ｅ−ＯＡＭと称する）によって下位側伝送装置を遠隔で監視および制御する。また、Ｅ−ＯＡＭの通信は、レイヤ２のＭＡＣアドレスを用いて行われている。例えば、図１の場合、Ｌ２ＳＷ１０１のＭＡＣアドレスはＭＡＣ＿Ｚ、Ｌ２ＳＷ１０２のＭＡＣアドレスはＭＡＣ＿Ａ、Ｌ２ＳＷ１０３のＭＡＣアドレスはＭＡＣ＿Ｂである。
【００１３】
Ｅ−ＯＡＭは、レイヤ２の区間で上位側伝送装置が下位側伝送装置を遠隔で監視および制御するための規格で、例えば、障害の検出と、障害が発生した箇所の切り分けと、通信品質のモニタなどを行うことができる。Ｅ−ＯＡＭの規格として、例えば、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１ａｇが知られている。また、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）のＹ．１７３１もＥ−ＯＡＭの規格として知られている。
【００１４】
遠隔で監視および制御を行う機能があるレイヤ２の伝送装置では、レイヤ３で通信を行うためのＩＰアドレスや監視用の仮想ネットワークなどの初期設定を保守者が行っていた。ここで、仮想ネットワークとして、例えばＶＬＡＮ（Ｖｅｒｔｕａｌ  Ｌｏｃａｌ  Ａｒｅａ  Ｎｅｔｗｏｒｋ）が用いられる。また、伝送装置の故障時に代替装置に置き換える場合、新たに伝送装置を設置する時と同様に、保守者が伝送装置の初期設定を行わなければならなかった。尚、ＩＰアドレスの設定については、ＩＰアドレスを自動的に割り当てるＤＨＣＰ（Ｄｙｎａｍｉｃ  Ｈｏｓｔ  Ｃｏｎｆｉｇｕｒａｔｉｏｎ  Ｐｒｏｔｏｃｏｌ）を利用できるが、監視用のＶＬＡＮ設定は自動的に行うことができない。また、ＩＰアドレスの場合でも、自動的に割り当てるタイミングによって、常に同じＩＰアドレスが割り当てられるとは限らないため、ＩＰアドレスの固定化が難しい。このため、保守者は、手動でＩＰアドレスや監視用のＶＬＡＮ設定などを行っている。しかし、保守者は、初期設定を行うために複雑なコマンド操作などを行うため、伝送装置の初期設定に手間が掛かるという問題があった。そこで、本実施形態に係る伝送システム１００は、上位レイヤ（レイヤ３）において遠隔で監視および制御を行うための初期設定を下位レイヤ（レイヤ２）の疎通確認メッセージを利用して自動的に行う。これにより、本実施形態に係る伝送システムでは、保守者が初期設定を行うための手間を低減できる。
【００１５】
図１において、上位側のＬ２ＳＷ１０１は、下位側のＬ２ＳＷ１０２およびＬ２ＳＷ１０３に疎通確認メッセージを定期的に送信する。ここで、疎通確認メッセージは、例えばＥ−ＯＡＭ規格の場合、ＣＣＭ（Ｃｏｎｔｉｎｕｉｔｙ  Ｃｈｅｃｋ  Ｍｅｓｓａｇｅｓ）が用いられる。
【００１６】
図２は、ＩＴＵ−Ｔで規定されるＥ−ＯＡＭ規格のＣＣＭのフォーマット例を示す図である。図２において、ＣＣＭは、６オクテットの送信先ＭＡＣアドレス（ＤＡ＿ＭＡＣ）と送信元ＭＡＣアドレス（ＳＡ＿ＭＡＣ）を有するＥｔｈｅｒｎｅｔフレームである。尚、図２の［数字］は情報量を示し、例えば［６］は６オクテットのデータを有する。そして、Ｅｔｈｅｒｎｅｔフレームのタイプ（ＴｙｐｅＩＤ）と、ＩＥＥＥ８０２．１Ｑに対応するＶＬＡＮ＿ＩＤと、ＶＬＡＮタイプ（ＴｙｐｅＩＤ）とを有する。Ｅｔｈｅｒｎｅｔフレームのタイプ（ＴｙｐｅＩＤ）は、例えばＶＬＡＮフレームを示す１６進数の０ｘ８１００に設定される。尚、０ｘは１６進数であることを示す。また、ＶＬＡＮタイプ（ＴｙｐｅＩＤ）は、例えばＥ−ＯＡＭのフレームであることを示す１６進数の０ｘ８９０２に設定される。ここで、Ｅ−ＯＡＭでは、ＭＥＧ（Ｍａｉｎｔｅｎａｎｃｅ  Ｅｎｔｉｔｙ  Ｇｒｏｕｐ）単位で伝送システム内のグループが管理される仕組みになっている。図２の例では、ＭＥＬ（ＭＥＧ  Ｌｅｖｅｌ）情報以降がＥ−ＯＡＭのフレームに関連する情報である。ＭＥＬ情報以降には、Ｖｅｒｓｉｏｎ情報、Ｅ−ＯＡＭの指令内容を示すオペコード（ＯｐＣｏｄｅ）、フラグ（Ｆｌａｇｓ）などの情報が付加される。そして、ＭＥＬ情報からＴＬＶ（Ｔｙｐｅ  Ｌｅｎｇｔｈ  Ｖａｌｕｅ）情報が格納されている位置を示すオフセット（ＴＬＶ＿Ｏｆｆｓｅｔ）情報までがＥ−ＯＡＭのフレームに関連する情報である。さらに、フレームの順番を示すシーケンス番号（Ｓｅｑｕｅｎｃｅ  Ｎｕｍｂｅｒ）、ＭＥＰ＿ＩＤ（ＭＥＧ  Ｅｎｄ  Ｐｏｉｎｔ  ＩＤｅｎｔｉｆｉｃａｔｉｏｎ）、ＭＥＧ＿ＩＤ、送受信フレームのカウンタなどが格納される。送受信フレームのカウンタは、例えば、ＴｘＦＣｆ（Ｔｒａｎｓｍｉｔ  Ｆｒａｍｅ  Ｃｏｕｎｔｅｒ  ｆｏｒｗａｒｄ），ＲｘＦＣｂ（Ｒｅｃｅｉｖｅ  Ｆｒａｍｅ  Ｃｏｕｎｔｅｒ  ｂａｃｋ）などを有する。尚、本実施形態の説明に直接関係しない規格については説明を省略する。そして、ＴＬＶ＿Ｏｆｆｓｅｔで示されたフレーム内の位置にＴＬＶ情報が格納される。
【００１７】
ここで、本実施形態に係る伝送システム１００は、Ｅ−ＯＡＭ規格のＯｐｔｉｏｎ＿ＴＬＶの機能を利用する。Ｏｐｔｉｏｎ＿ＴＬＶは、伝送装置の製造メーカーが独自のＴＬＶ情報を付加できる機能である。図２の例では、点線で囲まれたＯｐｔｉｏｎ＿ＴＬＶ１５１に独自のＴＬＶ情報が格納される。尚、最後のＥｎｄ＿ＴＬＶは、ＴＬＶ情報の終わりを示す識別子である。
【００１８】
Ｏｐｔｉｏｎ＿ＴＬＶ１５１は、ＴＬＶ＿Ｔｙｐｅ、ＴＬＶ＿Ｌｅｎｇｔｈ、ＯＵＩ（Ｏｒｇａｎｉｚａｔｉｏｎ  Ｕｎｉｑｕｅ  Ｉｄｅｎｔｉｆｉｅｒ）、Ｓｕｂｔｙｐｅ、Ｖａｌｕｅの各情報を有する。本実施形態に係る伝送システム１００の場合、例えば、ＴＬＶ＿Ｔｙｐｅを１６進数の０ｘ３１に設定した場合、メーカー独自のＴＬＶ情報であることを示す。ＴＬＶ＿Ｌｅｎｇｔｈは、ＴＬＶ情報の長さを示す。ＯＵＩは、レイヤ３の初期設定を自動的に行う機能を有するＣＣＭであることを示す識別子である。本実施形態では、ＯＵＩが全て”１”に設定されている場合にレイヤ３の初期設定を自動的に行う機能を有するＣＣＭであることを予め決めておく。Ｓｕｂｔｙｐｅは、初期設定情報の種別を示す情報である。本実施形態では、Ｓｕｂｔｙｐｅが”１”に設定されている場合にＩＰアドレスとＶＬＡＮ＿ＩＤの設定内容がＶａｌｕｅ情報に格納されていることを示す。図３は、Ｖａｌｕｅ情報に格納される設定情報の一例を示し、３台の伝送装置の初期設定情報がＶａｌｕｅ情報として格納されている。ここで、初期設定情報は、１装置当たり２０オクテットのレコード形式で格納され、複数の装置の初期設定情報を格納する場合は、装置（１）、装置（２）、装置（３）・・・のように、２０オクテットの情報が連続して格納される。ここで、２０オクテットの情報は、例えばＭＡＣアドレス、ＩＰアドレス、Ｓｕｂｎｅｔマスク、ＧＷ（ＧａｔｅＷａｙ）アドレス、ＶＬＡＮ＿ＩＤを有する。ＭＡＣアドレスは６オクテット、ＩＰアドレス、ＳｕｂｎｅｔマスクおよびＧＷアドレスはそれぞれ４オクテット、ＶＬＡＮ＿ＩＤは２オクテットであり、合計２０オクテットである。
【００１９】
次に、上位側伝送装置のＬ２ＳＷ１０１と、下位側伝送装置のＬ２ＳＷ１０２およびＬ２ＳＷ１０３について説明する。
【００２０】
図４は、Ｌ２ＳＷ１０１，Ｌ２ＳＷ１０２およびＬ２ＳＷ１０３の一例を示す図である。図４において、Ｌ２ＳＷ１０１は、制御部２０１と、通信部２０２と、設定情報テーブル２０３とを有する。
【００２１】
制御部２０１は、ＣＰＵ（Ｃｅｎｔｒａｌ  Ｐｒｏｃｅｓｓｉｎｇ  Ｕｎｉｔ）などが用いられ、Ｌ２ＳＷ１０１全体の制御を行う。また、制御部２０１は、Ｌ２ＳＷ１０２およびＬ２ＳＷ１０３の動作を監視し、制御する。例えば、制御部２０１は、通信部２０２を介して定期的に疎通確認メッセージをＬ２ＳＷ１０２に送信する。そして、Ｌ２ＳＷ１は、Ｌ２ＳＷ１０２から疎通確認メッセージに対する応答メッセージを受信した場合、Ｌ２ＳＷ１０２が正常に動作していると判断する。逆に、制御部２０１は、Ｌ２ＳＷ１０２から疎通確認メッセージに対する応答メッセージを受信できなかった場合、Ｌ２ＳＷ１０２が停止していると判断する。同様に、制御部２０１は、Ｌ２ＳＷ１０３についても疎通確認メッセージを定期的に送信して、Ｌ２ＳＷ１０３が正常に動作しているか否かを確認する。また、制御部２０１は、Ｌ２ＳＷ１０２およびＬ２ＳＷ１０３が新たに接続された場合に、疎通確認メッセージによってＬ２ＳＷ１０２およびＬ２ＳＷ１０３の初期設定を行う。本実施形態における伝送システム１００は、初期設定を行うための疎通確認メッセージとして、例えば、図２で説明したＯｐｔｉｏｎ＿ＴＬＶ１５１が付加されたＣＣＭを用いる。そして、Ｌ２ＳＷ１０１は、ＣＣＭによってＬ２ＳＷ１０２およびＬ２ＳＷ１０３のＩＰアドレスやＶＬＡＮ＿ＩＤなどのレイヤ３の初期設定を行う。
【００２２】
ここで、Ｌ２ＳＷ１０２およびＬ２ＳＷ１０３の初期設定情報は、Ｌ２ＳＷ１０１の設定情報テーブル２０３に予め記憶されている。
【００２３】
Ｌ２ＳＷ１０２は、制御部３０１と、通信部３０２とを有する。そして、通信部３０２は、通信ポート３５１を有する。尚、Ｌ２ＳＷ１０２の制御部３０１および通信部３０２は、Ｌ２ＳＷ１０３の制御部３０４および通信部３０４にそれぞれ対応する。同様に、Ｌ２ＳＷ１０２の通信ポート３５１は、Ｌ２ＳＷ１０３の通信ポート３５２に対応する。ここで、Ｌ２ＳＷ１０２について説明するが、Ｌ２ＳＷ１０３についても同様の機能を有する。
【００２４】
制御部３０１は、ＣＰＵなどが用いられ、Ｌ２ＳＷ１０２全体の制御を行う。また、制御部３０１は、通信部３０２を介してＬ２ＳＷ１０１から定期的に受信するレイヤ２の疎通確認メッセージに対して応答メッセージを返信する。さらに、Ｌ２ＳＷ１０１から受信する疎通確認メッセージに自装置宛の初期設定情報が含まれている場合は、自装置のレイヤ３の初期設定を行う。ここで、制御部３０１は、疎通確認メッセージに含まれる初期設定情報が自装置宛であるか否かをＯｐｔｉｏｎ＿ＴＬＶ１５１に格納されたＭＡＣアドレスにより判別する。例えば、制御部３０１は、図３に示したＯｐｔｉｏｎ＿ＴＬＶ１５１の装置（２）のＭＡＣアドレス（２）が自装置のＭＡＣアドレスに一致する場合、ＭＡＣアドレス（２）に対応する初期設定情報を自装置の通信部３０２に設定する。図３の例では、ＭＡＣアドレス（２）に対応する初期設定情報は、ＩＰアドレス（２）、Ｓｕｂｎｅｔマスク（２）、ＧＷアドレス（２）およびＶＬＡＮ＿ＩＤ（２）である。
【００２５】
このようにして、Ｌ２ＳＷ１０２およびＬ２ＳＷ１０３は、ＩＰアドレス、Ｓｕｂｎｅｔマスク、ＧＷアドレスを設定することができるので、ＩＰアドレスを用いたレイヤ３の通信を行うことができる。また、Ｌ２ＳＷ１０２およびＬ２ＳＷ１０３は、ＶＬＡＮ＿ＩＤの設定も行うことができるので、例えば監視用ＶＬＡＮを利用したアラーム通報やメンテナンスなどが可能になる。
【００２６】
図５は、設定情報テーブル２０３の一例を示す図である。図５の例では、Ｌ２ＳＷ１０２のＭＡＣアドレスは「ＭＡＣ＿Ａ」である。そして、Ｌ２ＳＷ１０２の初期設定内容は、監視用ＶＬＡＮ＿ＩＤが「１０」、ＩＰアドレスが「１９２．１６８．１．１１」、Ｓｕｂｎｅｔマスクが「２５５．２５５．２５５．０」、ＧＷアドレスが「１９２．１６８．１．０」である。同様に、Ｌ２ＳＷ１０３のＭＡＣアドレスは「ＭＡＣ＿Ｂ」である。そして、Ｌ２ＳＷ１０３の初期設定内容は、監視用ＶＬＡＮ＿ＩＤが「２０」、ＩＰアドレスが「１９２．１６８．１．１０」、Ｓｕｂｎｅｔマスクが「２５５．２５５．２５５．０」、ＧＷアドレスが「１９２．１６８．１．０」である。このように、設定情報テーブル２０３には、新たに設置される伝送装置のＭＡＣアドレスに対応させて、初期設定情報が予め記憶されている。
【００２７】
そして、制御部２０１は、疎通確認メッセージを送信する時に、設定情報テーブル２０３に記憶された初期設定情報を読み出して、疎通確認メッセージに格納してＬ２ＳＷ１０２およびＬ２ＳＷ１０３に送信する。
【００２８】
尚、Ｅ−ＯＡＭにおけるレイヤ２の通信は、ＭＡＣアドレス、ＭＡＩＤ（Ｍａｉｎｔｅｎａｎｃｅ  Ａｓｓｏｃｉａｔｉｏｎ  ＩＤｅｎｔｉｆｉｅｒ）、ＭＥＰ＿ＩＤなどを利用して行われる。ＭＡＩＤは、Ｌ２ＳＷ１０１を含む１つの管理単位を示す識別子である。また、ＭＥＰ＿ＩＤは、通信の終端を識別するための識別子（終端識別子）で、ＭＥＰ＿ＩＤで指定された通信ポート間で通信が行われる。図４の例では、Ｌ２ＳＷ１０１、Ｌ２ＳＷ１０２およびＬ２ＳＷ１０３のＭＡＩＤは、”ｉｎｉｔ”である。
【００２９】
また、Ｌ２ＳＷ１０１の通信部２０２は、Ｌ２ＳＷ１０２およびＬ２ＳＷ１０３と通信するための通信ポート２５１および通信ポート２５２を有する。そして、通信ポート２５１および通信ポート２５２には、それぞれＭＥＰ＿ＩＤが設定され、このＭＥＰ＿ＩＤを用いて通信先の装置の通信ポートと通信する。
【００３０】
次に、Ｌ２ＳＷ１０１とＬ２ＳＷ１０２およびＬ２ＳＷ１０３との間の通信について説明する。例えば、Ｌ２ＳＷ１０１およびＬ２ＳＷ１０２は、それぞれの通信ポート２５１および通信ポート３５１の間で通信を行う。ここで、Ｅ−ＯＡＭ規格では、各通信ポートに予め設定されたＭＥＰ＿ＩＤを指定して通信を行う。図４の例では、Ｌ２ＳＷ１０２の通信ポート３５１のＭＥＰ＿ＩＤは”１”に設定されているので、Ｌ２ＳＷ１０１は、ＭＥＰ＿ＩＤに”１”を設定してメッセージを送信する。一方、Ｌ２ＳＷ１０３の通信ポート３５２のＭＥＰ＿ＩＤも”１”に設定されているので、Ｌ２ＳＷ１０１が送信するＭＥＰ＿ＩＤが”１”のメッセージは、Ｌ２ＳＷ１０２とＬ２ＳＷ１０３の両方で受信することができる。このようにして、Ｌ２ＳＷ１０１は、同じＭＥＰ＿ＩＤが設定された伝送装置に、同じメッセージをレイヤ２で一括して送信することができる。
【００３１】
次に、Ｌ２ＳＷ１０１側の動作について、図６のフローチャートを用いて説明する。尚、新たに接続される伝送装置は、ＭＥＰ＿ＩＤが”１”、ＭＡＩＤが”ｉｎｉｔ”、ＶＬＡＮ＿ＩＤが”１”にそれぞれ設定されている。
【００３２】
（ステップＳ１０１）制御部２０１は、自装置の初期設定を行う。例えば、監視用のＶＬＡＮなど主信号系の各種設定を行う。
【００３３】
（ステップＳ１０２）制御部２０１は、マスタ動作を開始する。ここで、マスタ動作とは、下位側の伝送装置（Ｌ２ＳＷ１０２，Ｌ２ＳＷ１０３など）を監視および制御を実行するための上位側伝送装置としての動作である。
【００３４】
（ステップＳ１０３）制御部２０１は、新たに設置される伝送装置の初期設定情報をＬ２ＳＷ１０１の設定情報テーブル２０３に記憶する。尚、新たに設置される伝送装置の初期設定情報は、例えばＬ２ＳＷ１０１に保守用の端末を接続して入力してもよいし、ネットワーク１０４を介して接続される遠隔地の端末から入力してもよい。また、本処理は、逐次、行うことができる。
【００３５】
（ステップＳ１０４）制御部２０１は、定期的にＣＣＭを送信するために、前回のＣＣＭの送信から所定時間（予め設定された時間）が経過したか否かを判別する。制御部２０１は、所定時間が経過した場合はステップＳ１０５の処理に進み、所定時間が経過していない場合はステップＳ１０３の処理に戻る。
【００３６】
（ステップＳ１０５）制御部２０１は、設定情報テーブル２０３に記憶された初期設定情報を読み出して、図３に示したように、Ｏｐｔｉｏｎ＿ＴＬＶ１５１に格納し、初期設定情報が付加されたＣＣＭを作成する。
【００３７】
（ステップＳ１０６）制御部２０１は、予め決められたＭＥＰ＿ＩＤ（”１”）を指定してＣＣＭを送信する。尚、ＭＡＩＤも予め決められたＩＤ（例えば”ｉｎｉｔ”）、ＶＬＡＮ＿ＩＤも予め決められたＩＤ”１”にそれぞれ設定される。制御部２０１は、ＣＣＭを送信後、ステップＳ１０３に戻って、同様の処理を繰り返し実行する。
【００３８】
このようにして、上位側伝送装置のＬ２ＳＷ１０１は、新たに設置される伝送装置の初期設定情報をＯｐｔｉｏｎ＿ＴＬＶ１５１に格納したレイヤ２のＣＣＭをネットワーク１０４に送信する。そして、ネットワーク１０４に新たに接続された伝送装置は、初期設定情報がＯｐｔｉｏｎ＿ＴＬＶ１５１に格納されたＣＣＭを受信して、レイヤ３の初期設定を行うことができる。
【００３９】
次に、新たに設置される伝送装置の動作について、図７のフローチャートを用いて説明する。尚、ここでは、新たに設置される伝送装置がＬ２ＳＷ１０２の場合について説明するが、Ｌ２ＳＷ１０３の場合も同様に動作する。
【００４０】
（ステップＳ２０１）Ｌ２ＳＷ１０２は、例えば、Ｌ２ＳＷ１０２の設置前（製造時や出荷時など）に、全通信ポートが予め決められたＭＥＰ＿ＩＤに設定されている。尚、Ｌ２ＳＷ１０２は、ＭＡＩＤおよびＶＬＡＮ＿ＩＤも予め決められた値に設定しておく。ここでは、ＭＥＰ＿ＩＤが”１”、ＭＡＩＤが”ｉｎｉｔ”、ＶＬＡＮ＿ＩＤが”１”にそれぞれ設定されている。
【００４１】
（ステップＳ２０２）制御部３０１は、ＭＥＰ＿ＩＤが”１”のＣＣＭが受信されたか否かを判別する。尚、ＣＣＭのＭＡＩＤは”ｉｎｉｔ”、ＶＬＡＮ＿ＩＤは”１”である。そして、判別結果がＹｅｓの場合はステップＳ２０３の処理に進み、判別結果がＮｏの場合はステップＳ２０２の処理で待機する。ここで、Ｌ２ＳＷ１０１がネットワーク１０４に送信したＣＣＭは、ＭＥＰ＿ＩＤに”１”が設定されたＬ２ＳＷ１０２およびＬ２ＳＷ１０３の両方で受信され、同様の処理が実行される。
【００４２】
（ステップＳ２０３）制御部３０１は、受信したＣＣＭが初期設定用のＣＣＭであるか否かを判別する。そして、判別結果がＹｅｓの場合はステップＳ２０４の処理に進み、判別結果がＮｏの場合はステップＳ２０２の処理に戻る。尚、初期設定用のＣＣＭであるか否かの判別は、Ｏｐｔｉｏｎ＿ＴＬＶ１５１のＴＬＶ＿Ｔｙｐｅの値で判別する。例えば、Ｏｐｔｉｏｎ＿ＴＬＶ１５１のＴＬＶ＿Ｔｙｐｅの値が”３１”の場合、初期設定用のＣＣＭであることを示すように予め決めておく。
【００４３】
（ステップＳ２０４）制御部３０１は、Ｏｐｔｉｏｎ＿ＴＬＶ１５１のＶａｌｕｅ情報に自装置のＭＡＣアドレスが存在するか否かを判別する。そして、判別結果がＹｅｓの場合はステップＳ２０５の処理に進み、判別結果がＮｏの場合はステップＳ２０２の処理に戻る。
【００４４】
（ステップＳ２０５）制御部３０１は、Ｏｐｔｉｏｎ＿ＴＬＶ１５１のＶａｌｕｅ情報の自装置のＭＡＣアドレスに対応して格納されている初期設定用のパラメータを全て自装置内に取り込んだか否かを判別する。そして、判別結果がＹｅｓの場合はステップＳ２０６の処理に進み、判別結果がＮｏの場合はステップＳ２０２の処理に戻る。尚、制御部３０１は、初期設定用のパラメータをテーブルとしてＣＰＵ内部のレジスタに保持してもよいし、専用のメモリなどに記憶してもよい。
【００４５】
（ステップＳ２０６）制御部３０１は、自装置内に取り込んだ初期設定パラメータに従ってレイヤ３の設定（ＩＰアドレス、Ｓｕｂｎｅｔマスク、ＧＷアドレス、監視用のＶＬＡＮ＿ＩＤなど）を行う。例えば、図５に示したように、Ｌ２ＳＷ１０２は、監視用ＶＬＡＮ＿ＩＤが「１０」、ＩＰアドレスが「１９２．１６８．１．１１」、Ｓｕｂｎｅｔマスクが「２５５．２５５．２５５．０」、ＧＷアドレスが「１９２．１６８．１．０」に設定される。尚、監視用のＶＬＡＮ＿ＩＤはＣＣＭを受信した通信ポートに設定するのが好ましい。これにより、同じ通信ポートを継続して使用できる。
【００４６】
（ステップＳ２０７）制御部３０１は、初期設定が完了後、初期設定用のＭＥＰ＿ＩＤやＭＡＩＤなどを削除する。例えば、制御部３０１は、初期設定が終了すると、ＭＥＰ＿ＩＤの”１”を削除する。これにより、Ｌ２ＳＷ１０２およびＬ２ＳＷ１０３は、一度だけ初期設定を行うことになり、Ｌ２ＳＷ１０１が同じＣＣＭを繰り返し送信したとしても、重複して初期設定されることはない。
【００４７】
尚、本実施形態では、ＣＣＭを上位側のＬ２ＳＷ１０１から送信する例について説明したが、図４に示したように、Ｌ２ＳＷ１０１は、全通信ポートにおいて、ＭＥＰ＿ＩＤを”２”に設定しておいてもよい。この場合、新たに設置される下位側のＬ２ＳＷ１０２およびＬ２ＳＷ１０３は、ＭＥＰ＿ＩＤの”２”に対して通常のＣＣＭを送信し、これを受信した上位側のＬ２ＳＷ１０１から図２に示した初期設定情報を含むＣＣＭを送信することができる。
【００４８】
このようにして、本実施形態に係る伝送システム１００は、レイヤ２（下位レイヤ）で定期的に送信されるＣＣＭを利用して、レイヤ３（上位レイヤ）の初期設定を自動的に行うことができる。
【００４９】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【００５０】
【符号の説明】
【００５１】
１００・・・伝送システム；１０１・・・上位側のＬ２ＳＷ；１０２，１０３・・・下位側のＬ２ＳＷ；１０４・・・ネットワーク；２０１・・・制御部；２０２・・・通信部；２０３・・・設定情報テーブル；３０１，３０３・・・制御部；３０２，３０４・・・通信部；２５１，２５２，３５１，３５２・・・通信ポート
【図１】
2014150345.tif 000003
【図２】
2014150345.tif 000004
【図３】
2014150345.tif 000005
【図４】
2014150345.tif 000006
【図５】
2014150345.tif 000007
【図６】
2014150345.tif 000008
【図７】
2014150345.tif 000009